(57)【要約】      （修正有）【課題】簡便な構成に基づく自動閉鎖式回転ドアの構成を提供する。【解決手段】(1)固定枠４に対し、一方の端部が回転自在にて接合されている第１移動腕１１と、ドア面３に一方の端部がドア面３と回転自在にて接合されている第２移動腕１２を設け、第１移動腕１１の他方の端部及び第２移動腕１２の他方の端部とが相互に回転自在にて接合され、かつ第１移動腕１１と第２移動腕１２との間に伸縮自在のスプリング５が介在していることに基づき、回転モーメントを惹起させる。(2)固定枠４に対し一方の端部が回転自在の状態にて接合され、他方の端部がドア面３に対し、回転自在にて接合している移動腕１の中途部位を切断した状態とし、当該切断した双方をねじれ弾性を有しているスプリング５によって接合した。【選択図】図３
0003109848.tif 000002
【実用新案登録請求の範囲】
【請求項１】
ドアの上側に位置している固定枠に対し、一方の端部が二次元方向に回転自在にて接合され、かつ中途部位において長手方向の中心軸を基準として相互に回転自在の接合状態にある第１移動腕と、ドア面に固着されている第２移動腕を設け、第１移動腕の他方の端部及び第２移動腕の他方の端部とが相互に二次元方向に回転自在にて接合され、かつ第１移動腕と第２移動腕との間に伸縮自在のスプリングが介在していることに基づく自動閉鎖式回転ドア。
【請求項２】
固定枠からの突出部に対し、該突出方向と直交する方向に回転自在にて接合する巻着部を設け、当該巻着部において、前記突出部と接合していない端部と第１移動腕の一方の端部とを支軸によって第１移動腕が該突出方向の面内において回転自在にて軸支することに基づき、第１移動腕の固定枠に対する二次元方向に回転自在の状態を実現していることを特徴とする請求項１記載の自動閉鎖式回転ドア。
【請求項３】
第２移動腕の他方の端部から、略ドア面と直交する方向を向いている突出部を設け、当該突出部に対し、該突出方向と直交する方向（ドア面方向）に回転自在にて接合する巻着部を設け、当該巻着部において、前記突出部と接合していない端部と第１移動腕の他方の端部とを支軸によって第１移動腕の他方の端部が該突出方向と直交する方向（ドア面方向）に回転自在にて軸支することに基づき、第１移動腕の他方の端部と、第２移動腕の他方の端部とが二次元方向に回転自在に接合した状態を実現していることを特徴とする請求項１記載の自動閉鎖式回転ドア。
【請求項４】
ドアの上側に位置している固定枠に対し、一方の端部が二次元方向に回転自在の状態にて接合され、他方の端部がドア面に対し、二次元方向に回転自在にて接合している移動腕の中途部位を切断した状態とし、当該切断した双方を該移動腕の長手方向中心軸に沿ってねじれ弾性を有しているスプリングによって接合したことに基づく自動閉鎖式回転ドア。
【請求項５】
固定枠からの突出部に対し、該突出方向と直交する方向に回転自在にて接合する巻着部を設け、当該巻着部において、前記突出部と接合していない端部と移動腕の一方の端部とを支軸によって移動腕が該突出方向の面内において回転自在にて軸支することに基づき、移動腕の固定枠に対する二次元方向に回転自在の状態を実現していることを特徴とする請求項４記載の自動閉鎖式回転ドア。
【請求項６】
ドア面からドア面と直交する方向に設けた突設部に対し、該突出方向と直交する方向（ドア面方向）に回転自在にて接合する巻着部を設け、当該巻着部において、前記突設部と接合していない端部と移動腕の他方の端部とを、支軸によって、当該他方の端部が該突出方向の面内において回転自在にて接合することに基づき、移動腕の他方の端部が固定枠に対し二次元方向に回転自在にて接合する状態を実現していることを特徴とする請求項４記載の自動閉鎖式回転ドア。
【考案の詳細な説明】
【技術分野】
【０００１】
本考案は、住居及び事務所などにおいて採用されている自動閉鎖式回転ドアに関するものである。
【背景技術】
【０００２】
前記自動閉鎖式回転ドアにおいては、弾性力によって回転モーメントを発生させ、自動閉鎖を実現している。
【０００３】
そして、ドアを開放する場合には、当該弾性力によるモーメントを上回る回転モーメントを人手にて加えることによってドアを開くことを必要としている。
【０００４】
従来の自動閉鎖式回転ドアにおいては、ドア側に回転自在な状態にて接合されている第１移動腕と、ドアの上側又は下側の固定枠に回転自在の状態にて接合されている第２移動腕とを、それぞれ他の各端部において回転自在にて接合し、第１移動腕のドア側との接続部位においてドア側に設置した折り曲げ弾性を有しているスプリングによって、直接第１移動腕に回転モーメントを伝達するか、又はドア側に設けた油圧機構による直線方向の移動に伴う油圧を回転方向に変換したうえで、第１移動腕に対し回転モーメントを付勢する構成を採用していた。
【０００５】
しかしながら、前記スプリングによって回転モーメントを付勢する場合には、スプリングの折り曲げ部分が疲労によって弾性力を失い易く、他方油圧機構の場合には、回転モーメントに変換する構成が煩雑であり、かつ設置する場合、コスト高とならざるを得ない。
【０００６】
即ち、従来技術による自動閉鎖式ドアにおいては、スプリングを使用した簡便な構成は、提唱されていなかった。
【０００７】
【特許文献１】特開平８−２７０２９３号公報
【特許文献２】特開２００２−２９５１１８号公報
【特許文献３】特開２００３−３２８６３４号公報
【考案の開示】
【考案が解決しようとする課題】
【０００８】
本考案は、スプリング全体の伸縮弾性、又はねじれ弾性を採用することによって、簡便な構成に基づく自動閉鎖式回転ドアの構成を提供することを課題としている。
【課題を解決するための手段】
【０００９】
前記課題を解決するため、本考案の基本構成は、
（１）ドアの上側に位置している固定枠に対し、一方の端部が二次元方向に回転自在にて接合され、かつ中途部位において長手方向の中心軸を基準として相互に回転自在の接合状態にある第１移動腕と、ドア面に固着されている第２移動腕を設け、第１移動腕の他方の端部及び第２移動腕の他方の端部とが相互に二次元方向に回転自在にて接合され、かつ第１移動腕と第２移動腕との間に伸縮自在のスプリングが介在していることに基づく自動閉鎖式回転ドア、
（２）ドアの上側に位置している固定枠に対し、一方の端部が二次元方向に回転自在の状態にて接合され、他方の端部がドア面に対し、二次元方向に回転自在にて接合している移動腕の中途部位を切断した状態とし、当該切断した双方を該移動腕の長手方向中心軸に沿ってねじれ弾性を有しているスプリングによって接合したことに基づく自動閉鎖式回転ドア、
からなる。
【考案の効果】
【００１０】
前記（１）の構成においては、ドアの上側に位置している固定枠と二次元方向に回転自在に接合している第１移動腕及びドア面と二次元方向に回転自在に接合している第２移動腕との間に伸縮弾性を有しているスプリングを介在させるという簡単な構成によって、スプリング全体の伸縮弾性を利用することによる自動閉鎖式回転ドアを実現しており、前記（２）の構成は、固定枠及びドア面の双方に対し二次元方向に回転自在にて接合されている１本の移動腕について、切断された双方の間にねじれ弾性を有しているスプリングを介在させるという簡単な構成によって、スプリング全体のねじれ力を利用したことによる自動閉鎖式回転ドアを実現している。
【考案を実施するための最良の形態】
【００１１】
前記（１）の構成においては、図３（ａ）−（１）、（ａ）−（２）、図３（ｂ）−（１）、（ｂ）−（２）に示すように、第１移動腕１１は、固定枠４に接合されているのに対し、第２移動腕１２は、ドア面３に接合されており、第１移動腕１１と第２移動腕１２との間にスプリング５が介在しており、結局スプリング５全体の伸縮弾性作用による回転モーメントに基づいて自動閉鎖を実現している。
尚、図３（ａ）−（１）、（ａ）−（２）は、それぞれドアを閉じた状態における正面図及び側面図を示しており、図３（ｂ）−（１）、（ｂ）−（２）は、それぞれドアを開いた場合の正面図及び側面図を示している。
【００１２】
前記（１）の構成において、第１移動腕１１の一方端を、固定枠４に対し二次元方向に回転自在に接合すると共に、第１移動腕１１の他方端、及び第２移動腕１２の他方端についても相互に二次元方向に回転自在に接合しているのは、第１移動腕１１の方向が、略ドア面３による垂直方向、及びドア面３の方向と略直交し、かつ固定枠４と平行な水平方向の何れにおいても、何れの方向に対しても、順次変化せざるを得ないことから、このような変化を可能とすることを目的としている。
【００１３】
即ち、前記の「二次元方向にて回転自在」とは、垂直方向及び水平方向の双方に自由に回転し得ることを意味しており、このような各二次元方向の回転自在によって、スプリング５全体の伸縮弾性作用を発揮することが可能となる。
【００１４】
前記（１）の構成において、第１移動腕１１は、図３（ａ）−（１）、（ａ）−（２）、図３（ｂ）−（１）、（ｂ）−（２）に示すように、継ぎ手１１０を介して、中途部位において相互に回転自在に接合しているが、その根拠は、固定枠４側に接合している一方端における適切な自転角度と、第２移動腕１２の他方端と接合している他方端側における適切な自転角度とが相違しているが故に、双方が自由に自転を行わせることが必要であることに由来している。
【００１５】
前記（２）の構成は、図４に示すように、１本の移動腕１のみを採用し、一方端側が固定枠４と接合し、他方端側は、ドア面３と接合しており、しかも移動腕１は、中途部位にスプリング５が介在しており、結局スプリング５全体の長手方向中心軸に沿ったねじれ作用を原因とする回転モーメントに基づいて、自動閉鎖を実現している。
【００１６】
移動腕１の一方端及び他方端が、それぞれ固定枠４及びドア面３に対し、二次元方向に回転自在に接合されているのは、前記一方端と他方端との各位置が略ドア面３に沿った垂直方向、及びドア面３の方向と略直交し、かつ固定枠４と平行な水平方向の何れにおいても、ドアの開閉に伴って、ねじれた状態にて一方端のドア面３に対する角度、及び他方端の固定枠４に対する角度が回転と共に順次垂直方向及び水平方向を基準として変化しており、当該変化を可能とすることを目的としている。
【００１７】
そして、前記（２）の二次元方向にて回転自在が、略ドア面３に沿った垂直方向、及びドア面３の方向と略直交し、かつ固定枠４と平行な水平方向の何れの方向にも自由に回転し得るという趣旨であることは、前記(１)の構成の場合と変わりはない。
【００１８】
このように、移動腕１の一方端及び他方端は、二次元方向に回転自在であっても、長手方向の中心軸を基準とした自転方向には回転自在の状態ではない。
【００１９】
このため、移動腕１の中途部位は切断され、ねじれ弾性を有しているスプリング５を介して接合されているが、ドアが閉鎖した状態の場合に、当該スプリング５のねじれ弾性が生じないように調整した場合には、ドアが開いた場合には、スプリング５には必然的にねじれ弾性が生じ、弾性エネルギーを小さくして元の状態に戻ろうとすることから、移動腕１は、ドア面３との接合部位及び固定枠４との接合部位においてねじれ弾性が生じないような状態、即ち閉じた状態に戻るようなモーメントを発生させることになる。
【００２０】
以下、実施例に即して説明する。
【実施例１】
【００２１】
実施例１においては、図１（ａ）に示すように、前記（１）の構成において、固定枠４からの突出部に対し、該突出方向と直交する方向に回転自在にて接合する巻着部７を設け、当該巻着部７において、前記突出部と接合していない端部と第１移動腕１１の一方の端部とを支軸８によって第１移動腕１１が該突出方向の面内において回転自在にて軸支することに基づき、第１移動腕１１の固定枠４に対する二次元方向に回転自在の状態を実現していることを特徴とし、かつ図１（ｂ）に示すように、第２移動腕１２の他方の端部から、略ドア面３と直交する方向を向いている突出部を設け、当該突出部に対し、該突出方向と直交する方向（ドア面３方向）に回転自在にて接合する巻着部７を設け、当該巻着部７において、前記突出部と接合していない端部と第１移動腕１１の他方の端部とを支軸８によって第１移動腕１１の他方の端部が該突出方向と直交する方向（ドア面３方向）に回転自在にて軸支することに基づき、第１移動腕１１の他方の端部と、第２移動腕１２の他方の端部とが二次元方向に回転自在に接合した状態を実現していることを特徴としている。
【００２２】
即ち、固定枠４及びドア面３からの突設部６とこれに回転自在に巻着している巻着部７との係合関係、更には巻着部７において、各突設部６と接合していない端部において、それぞれ該突出方向と直交する方向に設置した支軸８によって、第１移動腕１１の一方端及び他方端を軸支するという簡単な構成によって、前記各二次元方向の回転を実現している。
【実施例２】
【００２３】
実施例２においては、図２（ａ）に示すように、前記（２）の構成において、固定枠４からの突出部に対し、該突出方向と直交する方向に回転自在にて接合する巻着部７を設け、当該巻着部７において、前記突出部と接合していない端部と移動腕１の一方の端部とを支軸８によって移動腕１が該突出方向の面内において回転自在にて軸支することに基づき、移動腕１の固定枠４に対する二次元方向に回転自在の状態を実現していることを特徴とし、かつ図２（ｂ）に示すように、ドア面３からドア面３と直交する方向に設けた突設部６に対し、該突出方向と直交する方向（ドア面３方向）に回転自在にて接合する巻着部７を設け、当該巻着部７において、前記突設部６と接合していない端部と移動腕１の他方の端部とを、支軸８によって、当該他方の端部が該突出方向の面内において回転自在にて接合することに基づき、移動腕１の他方の端部が固定枠４に対し二次元方向に回転自在にて接合する状態を実現していることを特徴としている。
【００２４】
実施例１と同様に、前記のような各突設部６、各巻着部７、及び各支軸８を設けることによって、各二次元方向の回転自在な状態を実現することができる。
【産業上の利用可能性】
【００２５】
本考案は、単に住居及び事務所などの建物だけでなく、自動車、更には諸々の装置における回転ドアの分野において採用可能である。
【図面の簡単な説明】
【００２６】
【図１】実施例１の構成を示しており、（ａ）は、第１移動腕の一方側の端部と固定枠との接合状態を示す見取図であり、（ｂ）は、第１移動腕の他方側の端部と第２移動腕の他方側の端部との接合状態を示す見取図である。
【図２】実施例２の構成を示しており、（ａ）は、移動腕の一方側の端部と固定枠との接合状態を示す見取図であり、（ｂ）は、移動腕の他方側の端部とドア面との接合状態を示す見取図である。
【図３】前記（１）の基本構成を示しており、（ａ）−（１）、（ａ）−（２）は、それぞれドアが閉じた状態における正面図及び側面図を示しており、（ｂ）−（１）、（ｂ）−（２）は、それぞれドアが開いた状態の正面図及び側面図を示している。
【図４】前記（２）の基本構成を示しており、（ａ）−（１）、（ａ）−（２）は、それぞれドアが閉じた状態における正面図及び側面図を示しており、（ｂ）−（１）、（ｂ）−（２）は、それぞれドアが開いた状態の正面図及び側面図を示している。
【符号の説明】
【００２７】
１  移動腕
１１  第１移動腕
１１０  第１移動腕における回転自在の継ぎ手
１２  第２移動腕
３  ドア面
４  固定枠
５  スプリング
６  突設部
７  巻着部
８  支軸
９  ドア面に突設部を固着するための平板
【図１】
0003109848.tif 000003
【図２】
0003109848.tif 000004
【図３】
0003109848.tif 000005
【図４】
0003109848.tif 000006